(57)【要約】【課題】  トランスポートチャネルに複数の送信フォーマット（ＴＦ）が用意される移動通信システムにおいて、複数のＴＦの間で、ＤＣＨの目標品質を満たすための所要のＳＩＲが異なることに起因する問題に対処できる通信制御装置を提供すること。【解決手段】  移動通信システムで使用される通信制御装置（３０，１０）は、物理レイヤより上位のレイヤとの通信用に用意された複数のＴＦの内の基準フォーマットに対する第１の目標通信品質Ｑ１から、基準フォーマット以外のＴＦに対する第２の目標通信品質Ｑ２を導出する手段（３２，１２）と、第１及び第２の目標通信品質から前記第１の目標通信品質とは異なる第３の目標通信品質Ｑ３を導出する手段（３３，１３）と、第３の目標通信品質を送信電力制御の目標値に設定する手段とを備える。【選択図】  図３
2006311131.tif 000002
【特許請求の範囲】
【請求項１】
無線基地局、前記無線基地局と無線リンクを通じて通信を行う移動局及び前記無線基地局に接続された無線制御局を有する移動通信システムで使用される通信制御装置であって、
上記通信において、物理レイヤより上位のレイヤとの通信用にチャネルが設定されていて、かつ、上記チャネルが複数の送信フォーマットを持つ場合に、
上記チャネルに対する第１の目標通信品質から、上記複数の送信フォーマットに対する第２の目標通信品質を導出する手段と、
前記第１及び第２の目標通信品質から前記第１の目標通信品質とは異なる第３の目標通信品質を導出する手段と、
前記第３の目標通信品質を、前記無線リンクにおける送信電力制御の目標値に設定する手段と、
を備えること特徴とする通信制御装置。
【請求項２】
複数の送信フォーマットの中で所要品質の最も高い送信フォーマットが前記第１の目標通信品質を満足するように、前記第３の目標通信品質が導出される
ことを特徴とする請求項１記載の通信制御装置。
【請求項３】
複数の送信フォーマット各々の使用頻度に基づいて、前記第３の目標通信品質が導出される
ことを特徴とする請求項１記載の通信制御装置。
【請求項４】
複数の送信フォーマットは、０以上の所定のビット数のデータを送信するフォーマットとしてそれぞれ規定される
ことを特徴とする請求項１記載の通信制御装置。
【請求項５】
前記複数の送信フォーマットは、０ビットのデータを送信するフォーマットと、論理チャネルの制御信号を送信するフォーマットを含む
ことを特徴とする請求項４記載の通信制御装置。
【請求項６】
前記第３の目標通信品質が前記第１の目標通信品質より良好に設定される
ことを特徴とする請求項１記載の通信制御装置。
【請求項７】
前記第１の目標通信品質が論理チャネルの目標通信品質であり、前記第３の目標通信品質がトランスポートチャネルの目標通信品質である
ことを特徴とする請求項１記載の通信制御装置。
【請求項８】
移動局又は無線制御局に設けられる
ことを特徴とする請求項１記載の通信制御装置。
【請求項９】
無線基地局、前記無線基地局と無線リンクを通じて通信を行う移動局及び前記無線基地局に接続された無線制御局を有する移動通信システムで使用される通信制御方法であって、
上記通信において、物理レイヤより上位のレイヤとの通信用にチャネルが設定されていて、かつ、上記チャネルが複数の送信フォーマットを持つ場合に、
上記チャネルに対する第１の目標通信品質から、上記複数の送信フォーマットに対する第２の目標通信品質を導出し、
前記第１及び第２の目標通信品質から前記第１の目標通信品質とは異なる第３の目標通信品質を導出し、
前記第３の目標通信品質を、前記無線リンクにおける送信電力制御の目標値に設定する
こと特徴とする通信制御方法。
【発明の詳細な説明】
【技術分野】
【０００１】
本発明は一般に通信制御装置及び通信制御方法に関し、特に移動通信システムにおける送信制御方法および移動局ならびに無線制御局に関する。
【背景技術】
【０００２】
一般に、移動通信システムにおいては、ある通信のためのチャネルが設定された場合に、上記チャネルは、１つ、あるいは、２つ以上の送信フォーマットを持つ。本発明は、特に、上記チャネルが２つ以上の送信フォーマットを持つ場合に係るため、以下においては、上記チャネルが２つ以上の送信フォーマットを持つ場合に関して説明を行う。
【０００３】
以下に、上記チャネルとして３ＧＰＰのＷＣＤＭＡ方式におけるトランスポートチャネルに関して説明を行う。
【０００４】
図１は、３ＧＰＰにおける主な物理チャネル、トランスポートチャネル及び論理チャネルのマッピング関係を示す。トランスポートチャネルは、物理レイヤからＭＡＣサブレイヤに提供されるチャネルであり、伝送形態によって分類され、無線インタフェースを介してどのような情報がどのように転送されるかで特徴づけられる。なお、物理チャネルのＤＰＣＨは、データを伝送するためのＤＰＤＣＨ（Ｄｅｄｉｃａｔｅｄ  Ｐｈｙｓｉｃａｌ  Ｄａｔａ  Ｃｈａｎｎｅｌ）と、送信電力制御のための制御コマンドやパイロットビット等を送信するためのＤＰＣＣＨ（Ｄｅｄｉｃａｔｅｄ  Ｐｈｙｓｉｃａｌ  Ｃｏｎｔｒｏｌ  Ｃｈａｎｎｅｌ）とを含む。物理チャネル上に複数のトランスポートチャネルを多重して伝送することで、ユーザデータと制御情報の多重や、マルチコールに伴う複数のユーザデータの多重を行うことができる。
【０００５】
一例として、下りリンクにおける伝送速度６４  ｋｂｐｓのパケットチャネル（非特許文献１：３ＧＰＰ  ＴＳ３４．１０８  ｖ４．７．０，６．１０．２．４．１．２５．２）に関して、トランスポートチャネルが２つ以上の送信フォーマットを持つ場合の動作が説明される。
【０００６】
上記伝送速度６４  ｋｂｐｓのパケットチャネルは、１つのデータ通信用の物理チャネルＤＰＤＣＨに、２つのトランスポートチャネルＤＣＨがマッピングされ、上記２つのトランスポートチャネルＤＣＨに、それぞれロジカルチャネルＤＴＣＨとＤＣＣＨがマッピングされる。ここで、トランスポートチャネルに使用されるトランスポートフォーマット（ＴＦ）の集合は、トランスポートフォーマットセット（ＴＦＳ）と呼ばれる。ＴＦは、上記ＴＦＳが伝送されるフォーマットであり、トランスポートチャネル上でＴＴＩ（送信時間間隔）毎にトランスポートブロックを供給するフォーマットである。トランスポートブロックとは、物理レイヤとＭＡＣレイヤとでデータ転送を行う際の基本単位のことである。そして、物理レイヤで同時に転送可能な１つ以上のＴＦの組み合わせはトランスポートフォーマットコンビネーション（ＴＦＣ）と呼ばれる。この物理チャネルで転送可能な全てのＴＦＣの集合は、トランスポートフォーマットコンビネーションセット（ＴＦＣＳ）と呼ばれる。上記伝送速度６４  ｋｂｐｓのパケットチャネルに関して、表１に  ＤＴＣＨがマッピングされているＤＣＨのＴＦＳを、表２にＤＣＣＨがマッピングされているＤＣＨのＴＦＳを、表３にＴＦＣＳを例示する。
【０００７】
（表１）ＤＴＣＨがマッピングされているＤＣＨのＴＦＣ
【０００８】
【表１】
2006311131.tif 000003
（表２）ＤＣＣＨがマッピングされているＤＣＨのＴＦＣ
【０００９】
【表２】
2006311131.tif 000004
（表３）ＴＦＣＳ
【００１０】
【表３】
2006311131.tif 000005
ここで、各表中の「１４８」や「３３６」は、ＤＴＣＨがマッピングされているＤＣＨ及びＤＣＣＨがマッピングされているＤＣＨのトランスポートブロックの大きさ（ビット数）を表す。また、これらの数字に乗算される係数は、トランスポートブロックの個数を表す。
【００１１】
無線制御局は、上記伝送速度６４  ｋｂｐｓのパケットチャネルを用いた通信を開始する際に、上記ＴＦＳやＴＦＣＳ、各トランスポートチャネルのＱｏＳ（ＤＣＨ  ｑｕａｌｉｔｙ  ｔａｒｇｅｔ）等を設定し、上記設定内容を、移動局と無線基地局に通知する。そして、移動局と無線基地局は、上記設定内容に基づき、通信を行う。ここで、無線制御局は、送信すべきデータの大きさや、無線環境の状況（例えば、無線区間の輻輳状態や、上記ＤＣＨ  ｑｕａｌｉｔｙ  ｔａｒｇｅｔを満たすための所要の送信電力）等に基づいて、ＴＴＩ毎に各ＤＣＨのＴＦを設定する（ＴＦＣＳの観点では、ＴＦＣを設定する）。そして、無線基地局は、無線制御局が設定したＴＦ（あるいはＴＦＣ）を用いて、下りリンクの送信を行う。
【００１２】
例えば、送信すべきデータとして、論理チャネルのパケットデータ（ＤＴＣＨ）と制御情報（ＤＣＣＨ）の両方が存在する場合には、無線制御局はＴＦＣとして表３におけるＴＦＣ９を選択してもよい。また、送信すべきデータとして、パケットデータ（ＤＴＣＨ）のみが存在し、制御情報（ＤＣＣＨ）が存在せず、かつ、上記パケットデータ（ＤＴＣＨ）の大きさが伝送速度３２  ｋｂｐｓで十分送信可能である場合には、無線制御局は、ＴＦＣとして、表３におけるＴＦＣ４を選択する。この場合、ＤＣＣＨがマッピングされるＤＣＨは送信されない（この状態は、ＤＴＸと呼ばれる。）。また、送信すべきデータとして、パケットデータ（ＤＴＣＨ）と制御情報（ＤＣＣＨ）の両方が存在しない場合には、無線制御局は、ＴＦＣとして、表３におけるＴＦＣ０を選択する。この場合、上記２つのＤＣＨは送信されない（ＤＴＸとなる）。すなわち、物理チャネルであるＤＰＤＣＨは送信されない。  
一方、移動局は、上記トランスポートチャネルのＱｏＳ（ＤＣＨ  ｑｕａｌｉｔｙ  ｔａｒｇｅｔ）を達成するために、短区間のＳＩＲに基づいたインナーループパワーコントロールと、長区間の受信品質（ＢＬＥＲあるいはＢＥＲ）に基づいたアウターループパワーコントロールを行う。概して、インナーループパワーコントロールでは、移動局（又は基地局）は、例えば受信ＳＩＲ（Ｓｉｇｎａｌ  ｔｏ  Ｉｎｔｅｒｆｅｒｅｎｃｅ  ｒａｔｉｏ）を測定し、目標ＳＩＲに達していない場合には「上昇（ＵＰ）」コマンドを、そうでなければ「下降（Ｄｏｗｎ）」コマンドを基地局（又は移動局）に通知する。基地局（又は移動局）は、コマンドの示す内容に応じて送信電力を例えば１ｄＢだけ変化させる。このような送信電力制御では典型的には０．６６７ｍｓのような短期間にわたるＳＩＲが測定される。アウターループパワーコントロールでは、ブロックエラーレート（ＢＬＥＲ）やビットエラーレート（ＢＥＲ）がある目標値となるように、目標ＳＩＲが制御される。このような送信電力制御では典型的には１００ｍｓのような長期間にわたるＳＩＲが測定される。
【００１３】
１つの物理チャネルに複数のトランスポートチャネルがマッピングされている場合、上記アウターループパワーコントロールは、各トランスポートチャネルのＱｏＳ（ＤＣＨ  ｑｕａｌｉｔｙ  ｔａｒｇｅｔ）を満たすように制御される。なお、一般的には、上記複数のトランスポートチャネルに対するそれぞれのＱｏＳ（ＤＣＨ  ｑｕａｌｉｔｙ  ｔａｒｇｅｔ）を満足するために、物理チャネルにマッピングされる符号化データ系列のビット数を変化させるレートマッチングが行われるため、上記複数のトランスポートチャネルの内の１つに対してアウターループパワーコントロールを行えば、上記複数のトランスポートチャネル全てのＱｏＳ（ＤＣＨ  ｑｕａｌｉｔｙ  ｔａｒｇｅｔ）を満足することができる。また、上記レートマッチングが不十分である場合にも、移動局は、全てのトランスポートチャネルのＱｏＳを満足するようにアウターループパワーコントロールを行う。
【００１４】
一方、移動局は、１つのトランスポートチャネルにおけるそれぞれのＴＦに関しては、ＴＦを区別せずにアウターループパワーコントロールが行われる。すなわち、上記伝送速度６４  ｋｂｐｓのパケットチャネルの例における、ＤＴＣＨがマッピングされているＤＣＨの場合には、ＴＦ０、ＴＦ１、ＴＦ２、ＴＦ３、ＴＦ４の区別なく、インナーループパワーコントロール及びアウターループパワーコントロールが行われる。すなわち、ＴＦ１におけるトランスポートブロック１個も、ＴＦ４におけるトランスポートブロック４個も同等に扱われる。
【００１５】
次に、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）の下りリンクの物理チャネルチャネルの１つであるＡ−ＤＰＣＨ（Ａｓｓｏｃｉａｔｅｄ  Ｄｅｄｉｃａｔｅｄ  Ｐｈｙｓｉｃａｌ  Ｃｈａｎｎｅｌ）に、１つのトランスポートチャネルＤＣＨをマッピングし、上記ＤＣＨに、ＤＣＣＨをマッピングする場合に関して説明を行う。ここで、ＨＳＤＰＡは、３ＧＰＰにおいて、下り方向の高速パケット伝送を実現するための伝送方式である（例えば、非特許文献２及び３参照）。上記Ａ−ＤＰＣＨは、ＨＳＤＰＡにおける共有のデータチャネルＨＳ−ＰＤＳＣＨ（トランスポートチャネルとしてはＨＳ−ＤＳＣＨ）及び共有の制御チャネルＨＳ−ＳＣＣＨに付随して送信される個別物理チャネルである。ＨＳＤＰＡの下りリンクにおいては、パケットデータ（ＤＴＣＨ）はＨＳ−ＰＤＳＣＨを用いて送信されるため、制御情報（ＤＣＣＨ）のみがＡ−ＤＰＣＨを用いて送信される。
【００１６】
表４に、Ａ−ＤＰＣＨにおける、ＤＣＣＨがマッピングされているＤＣＨのＴＦＳを示す（非特許文献１：３ＧＰＰ  ＴＳ３４．１０８  ｖ５．３．０，６．１０．２．４．１．２．２）。
【００１７】
（表４）Ａ−ＤＰＣＨにおけるＤＣＨのＴＦＳ
【００１８】
【表４】
2006311131.tif 000006
この例においては、トランスポートチャネルは１つであるため、ＴＦＳとＴＦＣＳは同一である。この場合、無線制御局は、送信すべき制御情報（ＤＣＣＨ）が存在する場合には、送信フォーマット（ＴＦ）として表４におけるＴＦ１を選択し、送信すべき制御情報（ＤＣＣＨ）が存在しない場合には、ＴＦとして表４におけるＴＦ０を選択する。ＨＳＤＰＡのＡ−ＤＰＣＨのＤＣＨにおいては、上述した伝送速度６４  ｋｂｐｓのパケットにおけるＤＣＨと異なり、送信すべき制御情報（ＤＣＣＨ）が存在しない場合には、ＤＴＸとなるのではなく、０ビットのトランスポートブロックが１つ送信される。尚、０ビットのトランスポートブロックが送信される場合、上記０ビットのトランスポートブロックにＣＲＣが付け加えられるため、移動局において、ブロックエラーレートの計算が可能であり、ＴＦ０を受信した場合にもアウターループパワーコントロールを行うことが可能である。
【００１９】
送信すべき制御情報（ＤＣＣＨ）が存在しない場合に、ＤＴＸとなるのではなく、０  ビットのトランスポートブロックが送信される理由は、移動局において、ＴＦ０の場合にもＴＦ１の場合にも、アウターループのパワーコントロールを行い、上記Ａ−ＤＰＣＨの受信品質を所定の目標品質に保つためである。受信品質は、ＤＣＨのＢＬＥＲ、ＤＰＣＣＨやＴＰＣコマンド及び個別パイロットのＳＩＲ等である。
【００２０】
表４のＴＦ０を用いて送信が行われる場合と、表４のＴＦ１を用いて送信が行われる場合とでは、１シンボルあたりの所要ＳＩＲにおいて、１．５ｄＢ〜２．０ｄＢ程の相違が存在する。すなわち、ＴＦ０を用いて送信が行われる場合の方が、ＴＦ１を用いて送信が行われる場合よりも、１．５〜２．０ｄＢ程度１シンボルあたりの所要のＳＩＲが小さい。
【００２１】
尚、制御情報ＤＣＣＨは、例えば、アクティブセットアップデート（Ａｃｔｉｖｅ  Ｓｅｔ  Ｕｐｄａｔｅ）、測定値制御（Ｍｅａｓｕｒｅｍｅｎｔ  ｃｏｎｔｒｏｌ）、物理チャネル再構築（Ｐｈｙｓｉｃａｌ  ｃｈａｎｎｅｌ  ｒｅｃｏｎｆｉｇｕｒａｔｉｏｎ）等に関する通知を行うための制御情報であり、その送信頻度は小さい。言い換えれば、ほとんどの時間において、表４のＴＦ０を用いて送信が行われ、たまに、表４のＴＦ１を用いて送信が行われることになる。
【００２２】
一方、上述したように、移動局は、２つ以上のＴＦを受信する際に、上記２つ以上のＴＦの違いを区別せずに、インナーループパワーコントロール及びアウターループパワーコントロールが行われる。すなわち、Ａ−ＤＰＣＨの場合には、無線基地局が、表４のＴＦ０を用いて送信を行った場合にも、表４のＴＦ１を用いて送信を行った場合にも、移動局は、上記ＴＦの違いを区別せずに、インナーループパワーコントロール及びアウターループパワーコントロールが行われる。
【００２３】
以上を踏まえると、Ａ−ＤＰＣＨにおいては、主に表４のＴＦ０を用いて送信が行われるため、移動局におけるインナーループパワーコントロールの目標品質（Ｔａｒｇｅｔ  ＳＩＲ）は、表４のＴＦ０に関して収束する。この場合、表４のＴＦ１にとっては、上記目標品質は、所要のＳＩＲよりも小さいため、結果として、ＴＦ１に関しては、所定のＱｏＳ（ＤＣＨ  ｑｕａｌｉｔｙ  ｔａｒｇｅｔ）を満足できなくなる。
【００２４】
上記問題に対し、例えば、無線基地局において、ＴＦ１を送信する場合に、ＴＦ０を送信する場合よりも送信電力を大きくすることが考えられるかもしれない。しかしながら、そのような手法では、多数の無線基地局総てに実装する装置負荷が非常に大きくなるので、それは現実的な解決手段ではない。
【非特許文献１】３ＧＰＰ  ＴＲ３４．１０８ｖ５．３．０
【非特許文献２】３ＧＰＰ  ＴＲ３４．１０８ｖ５．６．０
【非特許文献３】３ＧＰＰ  ＴＲ３４．１０８ｖ５．９．０
【発明の開示】
【発明が解決しようとする課題】
【００２５】
上述したように、一般的に、下りリンクにおいては、無線制御局が、データの有無や無線環境の状態等に応じて、それぞれのＤＣＨに対して、その複数のＴＦの中から適切なＴＦを選択し（ＴＦＣを選択し）、無線基地局が、上記ＴＦ（ＴＦＣ）を用いて下りリンクの送信を行う。そして、移動局は、上記それぞれのＤＣＨに対して、そのＴＦの違いを区別することなく、インナーループパワーコントロール及びアウターループパワーコントロールを行う。
【００２６】
よって、上記複数のＴＦの中で、ＤＣＨの目標品質を満たすための所要のＳＩＲが異なる場合には、送信頻度の大きいＴＦに関してインナーループパワーコントロールの目標品質（Ｔａｒｇｅｔ  ＳＩＲ）に収束し、結果として、送信頻度の小さいＴＦの受信品質（ＢＬＥＲ）が過剰に良くなる、あるいは、過剰に悪くなる、という問題が生じる。特に、送信頻度の小さい送信フォーマット（ＴＦ）のＤＣＨの目標品質を満たすための所要のＳＩＲが、送信頻度の大きいＴＦのＤＣＨの目標品質を満たすための所要のＳＩＲよりも大きい場合には、上記送信頻度の小さいＴＦの受信品質（ＢＬＥＲ）が過剰に悪くなるため、システムに与える影響は大きい。
【００２７】
本発明の課題は、トランスポートチャネルに複数の送信フォーマット（ＴＦ）が用意される移動通信システムにおいて、上記複数のＴＦの間で、ＤＣＨの目標品質を満たすための所要のＳＩＲが異なることに起因する問題に対処する通信制御装置及び通信制御方法を提供することである。
【課題を解決するための手段】
【００２８】
本発明では、無線基地局、前記無線基地局と無線リンクを通じて通信を行う移動局及び前記無線基地局に接続された無線制御局を有する移動通信システムで使用される通信制御装置が使用される。本装置は、上記通信において、物理レイヤより上位のレイヤとの通信用にチャネルが設定されていて、かつ、上記チャネルが複数の送信フォーマットを持つ場合に、上記チャネルに対する第１の目標通信品質から、上記複数の送信フォーマットに対する第２の目標通信品質を導出する手段と、前記第１及び第２の目標通信品質から前記第１の目標通信品質とは異なる第３の目標通信品質を導出する手段と、前記第３の目標通信品質を送信電力制御の目標値に設定する手段とを備える。
【発明の効果】
【００２９】
上記ＤＣＨの目標品質を満たすための所要のＳＩＲの違いに起因する通信品質の劣化を低減し、システムの信頼性をより高くすることができる。
【発明を実施するための最良の形態】
【００３０】
本発明の一実施例によれば、ＤＣＨ用に複数の送信フォーマット（ＴＦ）が用意される移動通信システムにおいて、目標品質に対する各ＴＦの所要の品質（例えばＳＩＲ）が異なる場合に、各ＴＦの特性差に基づいて、システムから要求される所要品質Ｑ１を、所望のＴＦの品質が目標品質となるように通信制御装置が変換する。各ＴＦの特性差は、例えば、ある特定の条件下での受信品質（例えば、ＢＬＥＲ）、各ＴＦの送信頻度、各ＴＦの優先度あるいは重要度等により評価されてもよい。変換後の所要品質Ｑ３を用いて通信を行うことにより、移動局や無線基地局における装置負荷を最低限に抑え、上記各ＴＦの所要の品質（例えばＳＩＲ）が異なることに起因するシステムパフォーマンスの劣化を防ぐことができる。
【００３１】
単に送信電力制御の目標品質をＱ１からＱ３に変更することで、シンボル当たりの所要ＳＩＲが複数のＴＦの間で異なる場合でさえも、各ＴＦの所要ＳＩＲが達成可能になる。後述されるように、品質Ｑ１はハンドオーバ誤りや同期外れによる影響を許容範囲内に抑制できるように設定されるものである。Ｑ３は、Ｑ１とは異なり、ＴＦ毎に所要ＳＩＲが異なることや実際の送信頻度等を考慮して設定される。従って、Ｑ１の値を当初から適切なＱ３の値にすることは困難である。
【００３２】
複数の送信フォーマットの中で所要品質の最も高い送信フォーマットが前記第１の目標通信品質を満足するように、第３の目標通信品質が導出されてもよい。複数の送信フォーマット各々の使用頻度に基づいて、前記第３の目標通信品質が導出されてもよい。複数の送信フォーマットは、０以上の所定のビット数のデータを送信するフォーマットとしてそれぞれ規定されてもよい。そのデータは、論理チャネルの制御信号でもよい。第３の目標通信品質は、第１の目標通信品質より良好に（例えば、第１の目標通信品質がＢＬＥＲ１％である場合に，第３の目標通信品質をＢＬＥＲ０．１％とする）設定されてもよい。第１の目標通信品質は論理チャネルの目標通信品質であり、第３の目標通信品質はトランスポートチャネルの目標通信品質でもよい。本通信制御装置は、無線制御局に設けられてもよいし、移動局に設けられてもよい。
【実施例１】
【００３３】
以下、図面を参照しながら本発明の実施例が説明される。図２は、本発明が適用される移動通信システムのシステム構成例を示す。図示されるように、移動通信システムは、無線基地局２０と、それを制御する無線制御局３０と、移動局１０から構成される。本実施例は、複数の送信フォーマット（ＴＦ）を用いて通信を行う場合に係るものであり、ここでは、ＨＳＤＰＡにおける下りリンクのＡ−ＤＰＣＨにおいて、表４に示すＴＦ０とＴＦ１の２種類を送信する例が説明される。ＴＦ０は、０ビットのトランスポートブロック１つを送信する送信フォーマット（ＴＦ）であり、ＴＦ１は、１４８  ビットのトランスポートブロック１つを送信する送信フォーマット（ＴＦ）である。  
図３は、図２に示されている無線制御局３０の構成例を示す機能ブロック図である。図３に示すように、無線制御局３０は、目標品質Ｑ１取得部３１と目標品質Ｑ２設定部３２と目標品質決定部３３と目標品質情報送信部３４とから構成される。尚、図２においては、無線制御局３０の有する様々な機能のうち、本実施形態に係るＡ−ＤＰＣＨにマッピングされるＤＣＨの下りリンクの目標品質（ＤＣＨ  ｑｕａｌｉｔｙ  ｔａｒｇｅｔ）を設定する部分が描かれている。
【００３４】
目標品質Ｑ１取得部３１は、制御信号（ＤＣＣＨ）の目標品質Ｑ１（第１の目標品質）を取得し、上記目標品質Ｑ１を、目標品質Ｑ２設定部３２に通知する。ここで、上記目標品質Ｑ１は、無線制御局３０で保持されている局データから取得されてもよい。あるいは、上記制御信号（ＤＣＣＨ）の目標品質Ｑ１は、遠隔した無線制御局３０の上位ノード（例えば、コアネットワーク上のサーバ等）から指定されることにより、取得されてもよい。目標品質Ｑ１は、何らかの通信品質を表す量であり、例えばブロックエラーレート（ＢＬＥＲ）でもよいし、ビットエラーレート（ＢＥＲ）でもよい。制御信号の誤りは、ハンドオーバー誤りやハンドオーバー誤りに起因する同期外れ等を引き起こす。このため、制御信号（ＤＣＣＨ）の目標品質Ｑ１は、ハンドオーバー誤りや同期外れによる影響を許容の範囲内に抑えることができるように設定される。  
目標品質Ｑ２設定部３２は、目標品質Ｑ１取得部３１から、第１の目標品質Ｑ１を受け取る。そして、目標品質Ｑ２設定部３２は、当該チャネル（本実施例では、Ａ−ＤＰＣＨ）にマッピングされるＤＣＨのＴＦの中から、基準となるＴＦ（基準ＴＦ）を選択し、上記基準ＴＦが上記目標品質Ｑ１を満たしている状態における、各ＴＦの品質を求め、それらを第２の目標品質Ｑ２（ＴＦ）に設定する。目標品質Ｑ２設定部３２は、上記各ＴＦの目標品質Ｑ２（ＴＦ）を、目標品質決定部３３に通知する。ここで、上記基準ＴＦとして、最も優先度が高い、あるいは、最も重要度が高いＴＦが選択されてもよい。
【００３５】
例えば、ＴＦ１を基準ＴＦとし、Ｑ１  ＝  ０．０１（本値はＢＬＥＲとする）とすると、目標品質Ｑ２設定部３２は、Ｑ２（ＴＦ１）＝０．０１及びＱ２（ＴＦ０）＝０．００１のような設定を行う。尚、上記Ｑ２（ＴＦ）（ＴＦ＝ＴＦ０又はＴＦ１）の値は、符号化方法や、無線部分の伝搬環境により決定される値であり、例えば、無線制御局３０は、表５のような参照テーブルを保持し、それを参照することでＱ２（ＴＦ）を設定してもよい。
【００３６】
（表５）参照テーブル（ＢＬＥＲ）
【００３７】
【表５】
2006311131.tif 000007
あるいは、無線制御局３０は、各ＴＦに関する、上記目標品質Ｑ１を満たすための所要のＳＩＲに基づいて、上記Ｑ２（ＴＦ）を求めてもよい。この場合、無線制御局３０は、表６のような参照テーブルを保持し、上記参照テーブルに基づいて、上記Ｑ２（ＴＦ）を設定してもよい。
【００３８】
（表６）参照テーブル（ＳＩＲ）
【００３９】
【表６】
2006311131.tif 000008
目標品質決定部３３は、目標品質Ｑ２設定部３２から、各ＴＦの目標品質Ｑ２（ＴＦ）を基に、実際に移動局１０に通知する目標品質Ｑ３（第３の目標品質）を決定する。そして、目標品質決定部３３は、上記目標品質Ｑ３を目標品質情報送信部３４に通知する。一例として、目標品質決定部３３は、各ＴＦのトラヒックモデル（送信頻度）に基づいて、上記目標品質Ｑ３を決定してもよい。例えば、ＴＦ０の送信頻度が９５％で、ＴＦ１の送信頻度が５％であるとすると、目標品質決定部３３は、ほとんどの場合においてＴＦ０を用いて送信される、と判断し、Ｑ３＝Ｑ２（ＴＦ０）＝０．００１と設定してもよい。或いは、送信頻度で重み付けして、Ｑ３＝０．９５×Ｑ２（ＴＦ０）＋０．０５×Ｑ２（ＴＦ１）＝０．００１４５  と設定してもよい。ＴＦ０の送信頻度が６０％で、ＴＦ１の送信頻度が４０％である場合には、Ｑ３＝０．６×Ｑ２（ＴＦ０）＋０．４×Ｑ２（ＴＦ１）＝０．００４６  のように、各ＴＦの送信頻度で重み付けしてＱ３を決定してもよい。各ＴＦの送信頻度は、無線制御局３０が過去の送信頻度を計測することにより取得されてもよいし、予め決められた値、あるいは、経験的な値を外部から入力することで取得されてもよい。
【００４０】
また、例えば、目標品質決定部３３は、各ＴＦの優先度あるいは重要度に基づいて、上記目標品質Ｑ３が決定されてもよい。すなわち、優先度あるいは重要度が高いＴＦの品質が、上記目標品質Ｑ１を実現するように、Ｑ３が決定されてもよい。例えば、ＴＦ０とＴＦ１では、ＴＦ１の重要度がより高いため、どのような送信頻度の場合にも、ＴＦ１の品質が、上記目標品質Ｑ１を実現するように、Ｑ３が設定されてもよい。この場合，１００％の確率でＴＦ０が送信されても、ＴＦ１の目標品質Ｑ１が実現するように、Ｑ３＝０．００１と設定する。
【００４１】
目標品質情報送信部３４は、目標品質Ｑ３を目標品質決定部３３より受け取り、上記目標品質Ｑ３の値を、ＤＣＨの目標品質（ｑｕａｌｉｔｙ  ｔａｒｇｅｔ）として、無線リソース制御（ＲＲＣ：Ｒａｄｉｏ  Ｒｅｓｏｒｃｅ  Ｃｏｎｔｒｏｌ）を用いて、移動局１０に通知する。
【００４２】
尚、本実施例においては、無線制御局３０が、システム的な観点から決定される目標品質Ｑ１を外部（例えば、局データ等のことを指す）から取得し、上記目標品質Ｑ１に基づいて最終的に移動局１０に通知するＤＣＨの目標品質（Ｑ３）を算出した。しかしながら、本発明はそのような例に限定されず、Ｑ３を無線制御局以外の品質設定装置で導出し、それを無線制御局が受信し、移動局に通知してもよい（そのような品質設定装置は、図３に示されるような要素を含む）。
【００４３】
また、無線制御局３０は、無線制御局３０が制御する基地局の種別に応じて、本実施例に係る制御をＯｎ／Ｏｆｆを決定してもよい。例えば、無線制御局３０が制御する基地局が，ＴＦ１を送信する場合に、ＴＦ０とＴＦ１の所要のＳＩＲの差を考慮して、ＴＦ０を送信する場合に比べて、送信電力を大きくする能力を持つ場合には、本実施例に係る制御をＯｆｆとしてもよい。無線制御局３０が制御する基地局が、ＴＦ１を送信する場合に、ＴＦ０とＴＦ１の所要のＳＩＲの差を考慮して，ＴＦ０を送信する場合に比べて、送信電力を大きくする能力を持たない場合には、本実施例に係る制御をOnとしてもよい。
【００４４】
次に、本発明に係る無線制御局３０の動作が、図４に示すフローチャートを用いて説明される。
【００４５】
ステップＳ４０において、無線制御局３０は、制御信号（ＤＣＣＨ）の第１の目標品質Ｑ１を取得する。
【００４６】
ステップＳ４１において、無線制御局３０は、各ＴＦの目標品質Ｑ２（ＴＦ）を設定する。ここで、Ｑ２（ＴＦ）とは、上述したように、基準となるＴＦが目標品質Ｑ１を満たしている状態における、各ＴＦの品質相当の値である。即ち、複数のＴＦの内の基準ＴＦに対する第１の目標品質Ｑ１に基づいて、他のＴＦについての目標品質（第２の目標品質）Ｑ２が導出される。
【００４７】
ステップＳ４２において、無線制御局３０は、上記各ＴＦの目標品質Ｑ２（ＴＦ）を基に、実際に移動局１０に通知する第３の目標品質Ｑ３を決定する。ここで、Ｑ３は、上述したように、各ＴＦの送信頻度や優先度を考慮して決定されてもよい。
【００４８】
ステップＳ４３において、無線制御局３０は、上記目標品質Ｑ３を、ＤＣＨの目標品質として、ＲＲＣを用いて移動局１０にシグナリングする。
【実施例２】
【００４９】
実施例１では、無線制御局３０がＱ１からＱ３への変換を行ったが、移動局１０がＱ１からＱ３への変換を行ってもよい。この場合、無線制御局３０は、ＤＣＨの目標品質としてＱ１を移動局に通知する。本実施例における移動局１０は、例えば図５に示されるように構成される。移動局１０は、目標品質Ｑ１取得部１１と目標品質Ｑ２設定部１２と目標品質決定部１３と送信電力制御部１４とを有する。尚、図５においては、移動局１０の様々な機能の内、本実施例に関する部分（Ａ−ＤＰＣＨにマッピングされるＤＣＨの下りリンクの目標品質を設定し、上記目標品質に基づいて送信電力制御を行う部分）を記載している。
【００５０】
目標品質Ｑ１取得部１１、目標品質Ｑ２設定部１２及び目標品質決定部１３は上述した目標品質Ｑ１取得部３１、目標品質Ｑ２設定部３２及び目標品質決定部３３と同様の構成及び機能を有するので、重複的な説明は省略される。送信電力制御部１４は、目標品質決定部１３から目標品質Ｑ３を受け取り、それに基づいて、インナーループパワーコントロールおよびアウターループパワーコントロールを行う。
【００５１】
次に、本変更例に係る移動局１０の動作が、図５に示すフローチャートを用いて説明される。
【００５２】
ステップＳ５０において、移動局１０は、制御信号（ＤＣＣＨ）の目標品質Ｑ１（第１の目標品質）を取得する。
【００５３】
ステップＳ５１において、移動局３０は、各ＴＦの目標品質Ｑ２（ＴＦ）を設定する。ここで、Ｑ２（ＴＦ）とは、上述したように、基準となるＴＦが目標品質Ｑ１を満たしている状態における、各ＴＦの品質相当の値である。即ち、基準ＴＦに対する第１の目標品質Ｑ１に基づいて、他のＴＦについての目標品質（第２の目標品質）Ｑ２が導出される。
【００５４】
ステップＳ５２において、移動局３０は、上記各ＴＦの目標品質Ｑ２（ＴＦ）を基に、実際に送信電力制御（インナーループパワーコントロール及びアウターループパワーコントロール）に用いる第３の目標品質Ｑ３を決定する。Ｑ３は、上述したように、各ＴＦの送信頻度や優先度も考慮されて決定されてもよい。
【００５５】
ステップＳ５３において、移動局３０は、上記目標品質Ｑ３に基づいて、送信電力制御（インナーループパワーコントロール及びアウターループパワーコントロール）を行う。
【図面の簡単な説明】
【００５６】
【図１】３ＧＰＰにおける主な物理チャネル、トランスポートチャネル及び論理チャネルのマッピング関係を示す図である。
【図２】本発明の一実施例による移動通信システムのシステム構成例を示す図である。
【図３】本発明の一実施例による無線制御局の構成例を示す図である。
【図４】本発明の一実施例による無線制御局の動作を示すフローチャートである。
【図５】本発明の一実施例による移動局の構成例を示す図である。
【図６】本発明の一実施例による移動局の動作を示すフローチャートである。
【符号の説明】
【００５７】
１０  移動局；  ２０  無線基地局；  ３０  無線制御局；
１１  目標品質Ｑ１取得部；  １２目標品質Ｑ２取得部；  １３  目標品質決定部；  １４  送信電力制御部；
３１  目標品質Ｑ１取得部；  ３２目標品質Ｑ２取得部；  ３３  目標品質決定部；  ３４  送信電力制御部
【図１】
2006311131.tif 000009
【図２】
2006311131.tif 000010
【図３】
2006311131.tif 000011
【図４】
2006311131.tif 000012
【図５】
2006311131.tif 000013
【図６】
2006311131.tif 000014